(57)【要約】【課題】ファクシミリ受信を効率よく行うことが可能な技術を提供する。【解決手段】ファクシミリ送信のためにアドレス帳を参照可能なファクシミリ装置であって、アドレス帳には、宛先番号と、複数の通信速度設定から選ばれた通信速度設定と、が対応付けられて登録され、着信信号から着番号を取得する着番号取得部と、着番号と一致する宛先番号をアドレス帳から検索する検索部と、着信信号の送信元からファクシミリ受信を行う際、検索部で検索された宛先番号にアドレス帳で対応付けられた通信速度設定のファクシミリ受信を送信元に要求して該送信元とネゴシエーションを行う受信制御部と、を備える、ファクシミリ装置。【選択図】図７
2017085308.tif 000002
【特許請求の範囲】
【請求項１】
ファクシミリ送信のためにアドレス帳を参照可能なファクシミリ装置であって、
前記アドレス帳には、宛先番号と、複数の通信速度設定から選ばれた通信速度設定と、が対応付けられて登録され、
着信信号から着番号を取得する着番号取得部と、
前記着番号と一致する宛先番号を前記アドレス帳から検索する検索部と、
前記着信信号の送信元からファクシミリ受信を行う際、前記検索部で検索された宛先番号に前記アドレス帳で対応付けられた通信速度設定のファクシミリ受信を前記送信元に要求して該送信元とネゴシエーションを行う受信制御部と、を備える、ファクシミリ装置。
【請求項２】
前記受信制御部は、前記検索部で前記着番号と一致する宛先番号が検索されなかった場合、前記アドレス帳の宛先番号に依存しない通信速度設定のファクシミリ受信を前記送信元に要求して該送信元とネゴシエーションを行う、請求項１に記載のファクシミリ装置。
【請求項３】
前記受信制御部は、前記着番号取得部で前記着信信号から着番号が取得されなかった場合、前記アドレス帳の宛先番号に依存しない通信速度設定のファクシミリ受信を前記送信元に要求して該送信元とネゴシエーションを行う、請求項１又は請求項２に記載のファクシミリ装置。
【請求項４】
前記アドレス帳は、内部アドレス帳と外部アドレス帳を含み、
本ファクシミリ装置は、前記内部アドレス帳を記憶した記憶部と、前記外部アドレス帳を記憶した外部装置との接続部と、をさらに備え、
前記検索部は、前記着番号と一致する宛先番号を前記内部アドレス帳及び前記外部アドレス帳から検索する、請求項１〜請求項３のいずれか一項に記載のファクシミリ装置。
【請求項５】
前記内部アドレス帳と前記外部アドレス帳を含む複数の分割アドレス帳は、同じ宛先番号がある場合に優先して使用する優先アドレス帳を含む、請求項４に記載のファクシミリ装置。
【請求項６】
前記検索部は、先に前記優先アドレス帳から前記着番号と一致する宛先番号を検索し、検索されなかった場合、前記複数の分割アドレス帳のうち前記優先アドレス帳を除く分割アドレス帳から前記着番号と一致する宛先番号を検索する、請求項５に記載のファクシミリ装置。
【請求項７】
前記アドレス帳の通信速度設定でファクシミリ通信にエラーが生じた場合に該エラーが生じた宛先番号に対応付けられた通信速度設定の変更を受け付ける変更受付部と、
受け付けられた通信速度設定を前記アドレス帳において前記エラーが生じた宛先番号に対応付ける通信速度設定更新部と、をさらに備える、請求項１〜請求項６のいずれか一項に記載のファクシミリ装置。
【請求項８】
ファクシミリ送信時又はファクシミリ受信時の電話番号と、該電話番号のファクシミリ通信の通信速度設定と、を少なくとも対応付けて通信ログとして記憶する通信ログ記憶処理部と、
前記通信ログの中から前記アドレス帳に前記宛先番号として登録する電話番号の選択を受け付ける通信ログ選択部と、
前記宛先番号として受け付けられた電話番号と、該電話番号に前記通信ログにおいて対応付けられた通信速度設定と、を対応付けて前記アドレス帳に登録するアドレス帳登録部と、をさらに備える、請求項１〜請求項７のいずれか一項に記載のファクシミリ装置。
【請求項９】
ファクシミリ送信のためにアドレス帳を参照可能なファクシミリ装置の制御方法であって、
前記アドレス帳には、宛先番号と、複数の通信速度設定から選ばれた通信速度設定と、が対応付けられて登録され、
着信信号から着番号を取得する工程と、
前記着番号と一致する宛先番号を前記アドレス帳から検索する検索工程と、
前記着信信号の送信元からファクシミリ受信を行う際、前記検索工程で検索された宛先番号に前記アドレス帳で対応付けられた通信速度設定のファクシミリ受信を前記送信元に要求して該送信元とネゴシエーションを行う工程と、を含む、ファクシミリ装置の制御方法。
【発明の詳細な説明】
【技術分野】
【０００１】
本発明は、ファクシミリ送信のためにアドレス帳を参照可能なファクシミリ装置、及び、その制御方法に関する。
【背景技術】
【０００２】
ファクシミリ送信のためにアドレス帳を参照可能なファクシミリ装置は、例えば、ファクシミリ装置に記憶されているアドレス帳を液晶表示パネルに表示して宛先番号の選択を受け付け、受け付けた宛先番号へファクシミリ送信を行う。
【０００３】
また、特許文献１に示されるファクシミリ装置は、ファクシミリ受信時に、ＩＴＵ（International Telecommunication Union）−Ｔ勧告Ｖ．８手順、Ｖ．３４通信を開始し、Ｖ．８手順、Ｖ．３４通信中においてエラーが発生した場合には、所定回数ＩＴＵ−Ｔ勧告Ｖ．２１手順、Ｖ．２７ｔｅｒ、Ｖ．２９、Ｖ．１７通信を行う。このように制御するのは、Ｖ．８手順から開始するＶ．３４通信のように比較的高速の通信速度設定では、Ｖ．２１手順から開始するＶ．１７通信等のように比較的低速の通信速度設定と比べて、通信回線の帯域を広く使う必要があるため、通信が安定しない可能性があるためである。
【先行技術文献】
【特許文献】
【０００４】
【特許文献１】特開平９−２８９５７７号公報
【発明の概要】
【発明が解決しようとする課題】
【０００５】
しかし、Ｖ．８手順から開始するＶ．３４通信のように高速の通信速度設定でエラーが生じる送信元から所定回数を超えてファクシミリ受信を行っても、高速の通信速度設定では再びエラーが生じる可能性は大きいと推測される。そこで、違った点からファクシミリ受信が効率よく行われると、より好ましい。
尚、上記のような課題は、ファクシミリ機能を有する複合機等、種々のファクシミリ装置について同様に存在する。
【０００６】
以上を鑑み、本発明の目的の一つは、ファクシミリ受信を効率よく行うことが可能な技術を提供することにある。
【課題を解決するための手段】
【０００７】
上記目的の一つを達成するため、本発明は、ファクシミリ送信のためにアドレス帳を参照可能なファクシミリ装置であって、
前記アドレス帳には、宛先番号と、複数の通信速度設定から選ばれた通信速度設定と、が対応付けられて登録され、
着信信号から着番号を取得する着番号取得部と、
前記着番号と一致する宛先番号を前記アドレス帳から検索する検索部と、
前記着信信号の送信元からファクシミリ受信を行う際、前記検索部で検索された宛先番号に前記アドレス帳で対応付けられた通信速度設定のファクシミリ受信を前記送信元に要求して該送信元とネゴシエーションを行う受信制御部と、を備える、態様を有する。
【０００８】
また、本発明は、ファクシミリ装置の制御方法の態様を有する。
【０００９】
上述した態様では、ファクシミリ受信が行われる際、検索部で検索された宛先番号にアドレス帳で対応付けられた通信速度設定のファクシミリ受信が送信元に要求されて該送信元とネゴシエーションが行われる。すなわち、ファクシミリ送信時にアドレス帳が参照されて使用される通信速度設定がファクシミリ受信時にも使用されるので、上述した態様は、ファクシミリ受信を効率よく行うことが可能な技術を提供することができる。
【００１０】
さらに、本発明は、上記ファクシミリ装置を含むファクシミリシステム、ファクシミリシステムの制御方法、上記ファクシミリ装置の制御プログラム、ファクシミリシステムの制御プログラム、これらのプログラムを記録したコンピューター読み取り可能な媒体、等に適用可能である。上記ファクシミリ装置は、分散した複数の部分で構成されてもよい。
【図面の簡単な説明】
【００１１】
【図１】ファクシミリシステムの例を模式的に示すブロック図。
【図２】記憶部に記憶される通信速度装置設定、アドレス帳、及び、通信ログの例を模式的に示す図。
【図３】外部装置に記憶されるアドレス帳の例を模式的に示す図。
【図４】着信信号のタイミングの例を模式的に示すタイミングチャート。
【図５】送信処理の例を示すフローチャート。
【図６】受信処理の例を示すフローチャート。
【図７】通信速度決定処理の例を示すフローチャート。
【図８】優先アドレス帳設定処理の例を示すフローチャート。
【図９】アドレス帳検索処理の例を示すフローチャート。
【図１０】通信速度設定処理の例を示すフローチャート。
【図１１】ログ表示画面の例を模式的に示す図。
【図１２】通信速度更新ボタンを有するログ表示画面の例を模式的に示す図。
【図１３】通信速度更新画面の例を模式的に示す図。
【図１４】アドレス帳登録ボタンを有するログ表示画面の例を模式的に示す図。
【発明を実施するための形態】
【００１２】
以下、本発明の実施形態を説明する。むろん、以下の実施形態は本発明を例示するものに過ぎず、実施形態に示す特徴の全てが発明の解決手段に必須になるとは限らない。
【００１３】
（１）本技術の概要：
まず、図１〜１４を参照して本技術の概要を説明する。尚、図１〜１４は模式的に示す図であり、各図は整合していないことがある。
【００１４】
［態様１］
図１等に例示されるファクシミリ装置１００は、ファクシミリ送信のためにアドレス帳ＡＢ１（例えば図２参照。）を参照可能であり、着番号取得部Ｕ１、検索部Ｕ２、及び、受信制御部Ｕ３を備える。前記アドレス帳ＡＢ１には、宛先番号４００と、複数の通信速度設定５００から選ばれた通信速度設定５１０と、が対応付けられて登録されている。前記着番号取得部Ｕ１は、着信信号ＳＧ１（例えば図４参照。）から着番号３５０を取得する。前記検索部Ｕ２は、前記着番号３５０と一致する宛先番号４００を前記アドレス帳ＡＢ１から検索する。前記受信制御部Ｕ３は、前記着信信号ＳＧ１の送信元３００からファクシミリ受信を行う際、前記検索部Ｕ２で検索された宛先番号４００に前記アドレス帳ＡＢ１で対応付けられた通信速度設定５１０のファクシミリ受信を前記送信元３００に要求して該送信元３００とネゴシエーションを行う。
【００１５】
上記態様１では、ファクシミリ受信が行われる際、検索部Ｕ２で検索された宛先番号４００にアドレス帳ＡＢ１で対応付けられた通信速度設定５１０のファクシミリ受信が送信元３００に要求されて該送信元３００とネゴシエーションが行われる。すなわち、ファクシミリ送信時にアドレス帳ＡＢ１が参照されて使用される通信速度設定５１０がファクシミリ受信時にも使用されるので、上記態様は、ファクシミリ受信を効率よく行うことが可能な技術を提供することができる。
【００１６】
ここで、アドレス帳は、ファクシミリ装置内の記憶部に記憶されてもよいし、ファクシミリ装置に接続される外部装置に記憶されてもよい。
【００１７】
［態様２］
ところで、図７に例示するように、前記受信制御部Ｕ３は、前記検索部Ｕ２で前記着番号３５０と一致する宛先番号４００が検索されなかった場合、前記アドレス帳ＡＢ１の宛先番号４００に依存しない通信速度設定（例えば通信速度装置設定５２０）のファクシミリ受信を前記送信元３００に要求して該送信元３００とネゴシエーションを行ってもよい。この態様は、着番号３５０と一致する宛先番号４００が検索されなかった場合でもファクシミリ受信を行うことが可能になるので、ファクシミリ受信を効率よく行う好適な技術を提供することができる。
【００１８】
［態様３］
図７に例示するように、前記受信制御部Ｕ３は、前記着番号取得部Ｕ１で前記着信信号ＳＧ１から着番号３５０が取得されなかった場合、前記アドレス帳ＡＢ１の宛先番号４００に依存しない通信速度設定（５２０）のファクシミリ受信を前記送信元３００に要求して該送信元３００とネゴシエーションを行ってもよい。この態様は、着信信号ＳＧ１から着番号３５０が取得されなかった場合でもファクシミリ受信を行うことが可能になるので、ファクシミリ受信を効率よく行う好適な技術を提供することができる。
【００１９】
［態様４］
図２，３に例示するように、前記アドレス帳ＡＢ１は、内部アドレス帳ＡＢ２と外部アドレス帳ＡＢ３を含んでもよい。図１に例示するように、本ファクシミリ装置１００は、前記内部アドレス帳ＡＢ２を記憶した記憶部Ｕ４と、前記外部アドレス帳ＡＢ３を記憶した外部装置２００との接続部Ｕ５と、をさらに備えてもよい。前記検索部Ｕ２は、前記着番号３５０と一致する宛先番号４００を前記内部アドレス帳ＡＢ２及び前記外部アドレス帳ＡＢ３から検索してもよい。本態様は、より多くの着番号３５０に対してアドレス帳ＡＢ１の通信速度設定５１０のファクシミリ受信を送信元３００に要求してネゴシエーションを行うことができるので、ファクシミリ受信をさらに効率よく行うことが可能な技術を提供することができる。
【００２０】
［態様５］
図８，９に例示するように、前記内部アドレス帳ＡＢ２と前記外部アドレス帳ＡＢ３を含む複数の分割アドレス帳は、同じ宛先番号４００がある場合に優先して使用する優先アドレス帳を含んでもよい。この態様は、着番号３５０と一致する宛先番号４００が複数の分割アドレス帳にある場合に優先アドレス帳の宛先番号４００に対応付けられた通信速度設定５１０がファクシミリ受信時のネゴシエーションに使用されるので、ファクシミリ受信をさらに効率よく行うことが可能な技術を提供することができる。
【００２１】
［態様６］
図９に例示するように、前記検索部Ｕ２は、先に前記優先アドレス帳から前記着番号３５０と一致する宛先番号４００を検索し、検索されなかった場合、前記複数の分割アドレス帳のうち前記優先アドレス帳を除く分割アドレス帳から前記着番号３５０と一致する宛先番号４００を検索してもよい。この態様は、優先アドレス帳から着番号３５０と一致する宛先番号４００が検索されると優先アドレス帳でない分割アドレス帳から宛先番号４００を検索する必要が無くなるので、ファクシミリ受信をさらに効率よく行うことが可能な技術を提供することができる。
尚、アドレス帳が複数の分割アドレス帳に分かれていない場合も、本技術に含まれる。
【００２２】
［態様７］
図１，１０に例示するように、本ファクシミリ装置１００は、前記アドレス帳ＡＢ１の通信速度設定５１０でファクシミリ通信にエラーが生じた場合に該エラーが生じた宛先番号４３０に対応付けられた通信速度設定５３０の変更を受け付ける変更受付部Ｕ６をさらに備えてもよい。また、本ファクシミリ装置１００は、受け付けられた通信速度設定５３１を前記アドレス帳ＡＢ１において前記エラーが生じた宛先番号４３０に対応付ける通信速度設定更新部Ｕ７をさらに備えてもよい。本態様は、ファクシミリ通信にエラーが生じた場合にアドレス帳ＡＢ１の通信速度設定５３０を更新することができるので、ファクシミリ通信をさらに効率よく行うことが可能な技術を提供することができる。
【００２３】
［態様８］
図１，５，６に例示するように、本ファクシミリ装置１００は、ファクシミリ送信時又はファクシミリ受信時の電話番号４４０と、該電話番号４４０のファクシミリ通信の通信速度設定５４０と、を少なくとも対応付けて通信ログＬ１として記憶する通信ログ記憶処理部Ｕ８をさらに備えてもよい。また、図１，１０に例示するように、本ファクシミリ装置１００は、前記通信ログＬ１の中から前記アドレス帳ＡＢ１に前記宛先番号４００として登録する電話番号４４０の選択を受け付ける通信ログ選択部Ｕ９をさらに備えてもよい。さらに、本ファクシミリ装置１００は、前記宛先番号４００として受け付けられた電話番号４４０と、該電話番号４４０に前記通信ログＬ１において対応付けられた通信速度設定５４０と、を対応付けて前記アドレス帳ＡＢ１に登録するアドレス帳登録部Ｕ１０をさらに備えてもよい。本態様は、通信ログＬ１から宛先番号４００と通信速度設定５１０とを対応付けてアドレス帳ＡＢ１に登録することができるので、ファクシミリ通信をさらに効率よく行うことが可能な技術を提供することができる。
【００２４】
［態様９］
図１等に例示されるファクシミリ装置１００の制御方法は、着番号取得部Ｕ１に対応する着番号取得工程、検索部Ｕ２に対応する検索工程、及び、受信制御部Ｕ３に対応する受信制御工程を含む。本制御方法は、変更受付部Ｕ６に対応する変更受付工程を含んでもよいし、通信速度設定更新部Ｕ７に対応する通信速度設定更新工程を含んでもよいし、通信ログ記憶処理部Ｕ８に対応する通信ログ記憶処理工程を含んでもよいし、通信ログ選択部Ｕ９に対応する通信ログ選択工程を含んでもよいし、アドレス帳登録部Ｕ１０に対応するアドレス帳登録工程を含んでもよい。
【００２５】
［態様１０］
図１等に例示されるファクシミリ装置１００の制御プログラムは、着番号取得部Ｕ１に対応する着番号取得機能、検索部Ｕ２に対応する検索機能、及び、受信制御部Ｕ３に対応する受信制御機能をコンピューターに実現させる。本制御プログラムは、変更受付部Ｕ６に対応する変更受付機能をコンピューターに実現させてもよいし、通信速度設定更新部Ｕ７に対応する通信速度設定更新機能をコンピューターに実現させてもよいし、通信ログ記憶処理部Ｕ８に対応する通信ログ記憶処理機能をコンピューターに実現させてもよいし、通信ログ選択部Ｕ９に対応する通信ログ選択機能をコンピューターに実現させてもよいし、アドレス帳登録部Ｕ１０に対応するアドレス帳登録機能をコンピューターに実現させてもよい。
【００２６】
（２）ファクシミリ装置を含むファクシミリシステムの構成の具体例：
図１は、ファクシミリシステムの構成例を模式的に示している。図１に示すファクシミリシステムＳＹ１は、電話回線１４０を介して通信相手とファクシミリ通信を行うファクシミリ装置１００を含んでいる。電話回線１４０は、音声通話時、又は、ファクシミリ通信時に端末間で音声周波数帯域（例えば３００〜３４００Ｈｚ）の信号等を送受信するための加入者回線である。ファクシミリ装置１００がファクシミリ受信を行う時、電話回線１４０を介した送信元３００は、例えば、加入者線交換機（以下、単に交換機と記載。）となる。
【００２７】
図１に示すファクシミリ装置１００には、外部装置２００が接続されている。外部装置２００は、ネットワークＮＷ１を介して接続されたパーソナルコンピューター２１０、ＵＳＢ（Universal Serial Bus）メモリー等といった外付けの不揮発性メモリー装置２５０、等を含む。ネットワークＮＷ１には、インターネット、ＬＡＮ（Local Area Network）、ＬＡＮ同士をＷＡＮ（Wide Area Network）で繋いだネットワーク、等を用いることができ、無線ＬＡＮ等といった無線ネットワークが含まれてもよい。
【００２８】
図１には、ファクシミリ装置１００として複合機の例を示している。ファクシミリ装置１００の制御部１１０には、スキャン部１２０、プリント部１３０、操作部１５０、等が接続されている。
【００２９】
制御部１１０では、時計回路１１１、ＣＰＵ（Central Processing Unit）１１２、不揮発性メモリー１１３（記憶部Ｕ４の例）、ＲＡＭ（Random Access Memory）１１４、ＵＳＢインターフェイス（Ｉ／Ｆ）１１５、通信Ｉ／Ｆ １１６、ＦＡＸ制御部１１７、等が互いに接続されている。不揮発性メモリー１１３は、ＲＡＭ１１４に展開される制御プログラム等を記憶している。不揮発性メモリー１１３には、フラッシュメモリーといった書き換え可能な不揮発性半導体メモリー、ハードディスクといった書き換え可能な磁気記録媒体、等を用いることができ、書き換え不能なＲＯＭ（Read Only Memory）が含まれてもよい。ＵＳＢ Ｉ／Ｆ １１５は、不揮発性メモリー装置２５０のＵＳＢポート（接続部Ｕ５の例）に接続され、不揮発性メモリー装置２５０に対してデータを読み書きする処理を行う。ＵＳＢポートは、ＵＳＢケーブルを着脱可能に差し込むための接続口である。尚、不揮発性メモリー装置２５０がメモリーカードであれば、ＵＳＢポートの代わりにメモリーカードスロットを使用し、ＵＳＢ Ｉ／Ｆの代わりにカードＩ／Ｆを使用すればよい。通信Ｉ／Ｆ １１６は、ネットワークＮＷ１の接続部（外部装置２００との接続部Ｕ５の例）に接続され、このネットワークＮＷ１に接続された外部装置（例えばコンピューター２１０）との間でデータを送受信する処理を行う。ＦＡＸ制御部１１７は、電話回線１４０に接続され、この電話回線１４０に接続された通信相手との間でファクシミリ通信を行う。図１に示す制御部１１０は、着番号取得部Ｕ１、検索部Ｕ２、受信制御部Ｕ３、変更受付部Ｕ６、通信速度設定更新部Ｕ７、通信ログ記憶処理部Ｕ８、通信ログ選択部Ｕ９、及び、アドレス帳登録部Ｕ１０の例である。
【００３０】
スキャン部１２０は、原稿画像を読み取る画像読取装置である。スキャン部１２０は、例えば、光源からの光を原稿に当てて原稿画像を読み取り、対応する画像データを形成する。スキャン部１２０には、原稿台ガラスと原稿カバーとの間に原稿を配置するフラットベット式のスキャナー、原稿送り装置付きのスキャナー、等を用いることができる。
【００３１】
プリント部１３０は、コピー用紙等といった被印刷物に印刷を行う印刷装置である。プリント部１３０は、例えば、画像データに対応する画像を色材（例えばトナーやインク）で被印刷物に形成する。プリント部１３０には、レーザープリンターといった電子写真方式のプリンター、インクジェットプリンター、等を用いることができる。
【００３２】
操作部１５０は、ハードキー１６０、及び、表示部である表示パネル１７０を備えている。ハードキー１６０は、押されているか否かを検知して対応する検知信号を出力する。表示パネル１７０は、液晶表示パネル等を用いることができ、各種画面を表示する。表示パネル１７０の表面にタッチパネルが貼り付けられている場合、表示パネル１７０は、指（タッチペン等も可）で触れる操作を受け付ける。
【００３３】
図１に示すコンピューター２１０は、ＣＰＵ２１２、不揮発性メモリー２１３、ＲＡＭ２１４、通信Ｉ／Ｆ ２１６、等が互いに接続されている。不揮発性メモリー２１３には、書き換え可能な磁気記録媒体、書き換え可能な不揮発性半導体メモリー、等を用いることができ、書き換え不能なＲＯＭが含まれてもよい。通信Ｉ／Ｆ ２１６は、ネットワークＮＷ１に接続され、このネットワークＮＷ１に接続されたファクシミリ装置１００との間でデータを送受信する処理を行う。
【００３４】
図２は、不揮発性メモリー１１３の書き換え可能な領域に記憶される通信速度装置設定、アドレス帳、及び、通信ログの例を模式的に示している。
図２に示す通信速度装置設定５２０は、ファクシミリ装置１００に設定された通信速度設定であり、アドレス帳ＡＢ１の宛先番号４００に依存しない通信速度設定である。ＩＴＵ−Ｔ勧告のファクシミリ通信には、Ｖ．８手順から開始するＶ．３４通信（単にＶ．３４とも記載。）、Ｖ．２１手順から開始するＶ．１７通信（単にＶ．１７とも記載。）、Ｖ．２１手順から開始するＶ．２９通信（単にＶ．２９とも記載。）、及び、Ｖ．２１手順から開始するＶ．２７ｔｅｒ通信（単にＶ．２７ｔｅｒとも記載。）が含まれる。ここで、Ｖ．３４通信は最大33600bps（33.6K）の伝送速度で通信が可能であり、Ｖ．１７通信は最大14400bps（14.4K）の伝送速度で通信が可能であり、Ｖ．２９通信は最大9600bps（9.6K）の伝送速度で通信が可能であり、Ｖ．２７ｔｅｒ通信は最大4800bps（4.8K）の伝送速度で通信が可能である。ファクシミリ装置１００は、これらの通信速度設定から通信速度装置設定５２０を選択する操作を操作部１５０で受け付け、受け付けた通信速度設定を通信速度装置設定５２０として不揮発性メモリー１１３に記憶する。図２には、Ｖ．３４とＶ．１７とＶ．２９の通信速度設定から選ばれる通信速度設定が通信速度装置設定５２０として不揮発性メモリー１１３に記憶される例が示されている。
【００３５】
図２，３に示すアドレス帳ＡＢ１には、名称、宛先番号４００、及び、複数の通信速度設定５００から選ばれた通信速度設定５１０が少なくとも対応付けられて登録されている。アドレス帳ＡＢ１は、ファクシミリ装置１００の不揮発性メモリー１１３に記憶される内部アドレス帳ＡＢ２、及び、図３に示す外部装置２００に記憶される外部アドレス帳ＡＢ３を含む。図２に示す複数の通信速度設定５００は、Ｖ．３４とＶ．１７とＶ．２９に加えて通信速度装置設定５２０を含んでいる。むろん、複数の通信速度設定５００にＶ．２７ｔｅｒが含まれてもよい。ファクシミリ装置１００は、アドレス帳ＡＢ１（内部アドレス帳ＡＢ２と外部アドレス帳ＡＢ３）を編集する操作を操作部１５０で受け付け、受け付けた情報（名称、宛先番号４００、通信速度設定５１０、等）をアドレス帳ＡＢ１に格納する。特に、通信速度設定５１０について、ファクシミリ装置１００は、Ｖ．３４とＶ．１７とＶ．２９と通信速度装置設定５２０を含む複数の通信速度設定５００からいずれか一つの通信速度設定を選択する操作を操作部１５０で受け付け、受け付けた通信速度設定５１０を宛先番号４００に対応付けてアドレス帳ＡＢ１に格納する。
【００３６】
図２に示す通信ログＬ１には、ファクシミリ通信の日時、種別（ファクシミリ送信又はファクシミリ受信）、ファクシミリ通信の結果（成功を意味するOK、又は、失敗を意味するError）、相手先番号、及び、通信スピードが少なくとも対応付けられて格納されている。相手先番号は、ファクシミリ送信時又はファクシミリ受信時の電話番号４４０の例である。通信スピードは、前記電話番号４４０のファクシミリ通信の通信速度設定５４０の例である。ファクシミリ装置１００は、ファクシミリ送信、又は、ファクシミリ受信の処理が終わると、ファクシミリ通信の日時、種別、結果、相手先番号、及び、通信スピードを少なくとも対応付けて通信ログＬ１に格納する。
【００３７】
図３は、外部装置２００に記憶される外部アドレス帳の例を模式的に示している。外部アドレス帳ＡＢ３は、例えば、コンピューター２１０の不揮発性メモリー２１３、ＵＳＢメモリーといった不揮発性メモリー装置２５０、等に記憶される。むろん、ファクシミリ装置１００には、不揮発性メモリー装置２５０が接続されずにコンピューター２１０が接続されてもよいし、コンピューター２１０が接続されずに不揮発性メモリー装置２５０が接続されてもよいし、外部アドレス帳ＡＢ３を記憶するための３以上の外部装置が接続されてもよい。
ファクシミリ装置１００に記憶される内部アドレス帳ＡＢ２は、不揮発性メモリー１１３のデータ容量により登録可能な件数が少数に限られることがある。一方、外部アドレス帳ＡＢ３は、外部装置２００のデータ容量に応じて登録可能な件数を多数にすることが可能である。従って、内部アドレス帳ＡＢ２と外部アドレス帳ＡＢ３を併用することにより、登録可能な件数を大幅に増やすことが可能である。尚、内部アドレス帳ＡＢ２と外部アドレス帳ＡＢ３には、同じ宛先番号４００に異なる通信速度設定５１０が対応付けられる可能性がある。図２，３には、Ａａ社とＡｂ社について宛先番号４００が同じで通信速度設定５１０が異なる例が示されている。
【００３８】
次に、図４を参照して、ファクシミリ受信時における着信信号ＳＧ１のタイミングの例を説明する。
図示しない通信相手がファクシミリ装置１００を発呼すると、交換機は、電話回線１４０の極性を反転させ、ＣＡＲ信号（情報受信端末起動信号）を送出する。ＣＡＲ信号には、例えば、０．５秒間オンと０．５秒間オフを繰り返す信号が用いられる。ＣＡＲ信号を検出したファクシミリ装置１００が一次応答（オフフック）を行うと、一次応答信号を受信した交換機は、着番号情報等を送出する。オフフックとは、回線に直流ループを形成することである。着番号情報等には、例えば、いわゆるナンバーディスプレイサービスで通知される発信者電話番号、Caller ID で通知される発信者電話番号、等が含まれる。宛先番号４００を検索するための着番号３５０は、着番号情報等から取得される。着番号情報等を取得したファクシミリ装置１００が受信完了信号（オンフック）を送出すると、受信完了信号を受信した交換機は、呼び出し信号を送出する。オフフックとは、回線の直流ループを切断することである。呼び出し信号には、例えば、１秒間オンと２秒間オフを繰り返す信号が用いられる。呼び出し信号を検出してネゴシエーション処理を行ったファクシミリ装置１００が二次応答（オフフック）を行うと、二次応答信号を受信した交換機は、ファクシミリ通信のデータを送出する。
【００３９】
（３）ファクシミリ通信処理、及び、ファクシミリ装置の制御方法の具体例：
まず、図５を参照して、ファクシミリ送信の処理の例を説明する。この処理は、ファクシミリ装置１００の制御部１１０が中心となって行う。ここで、Ｓ１２２の処理を行う制御部１１０は、通信ログ記憶処理部Ｕ８の例である。尚、ファクシミリ装置１００は、マルチタスクにより複数の処理を並列して実行している。
ファクシミリ送信を行う操作を操作部１５０で受け付けたファクシミリ装置１００の制御部１１０は、アドレス帳ＡＢ１（内部アドレス帳ＡＢ２と外部アドレス帳ＡＢ３のどちらでも可。）から宛先が操作されたか否かを判断する（ステップＳ１０２。以下、「ステップ」の記載を省略。）。アドレス帳からではなく宛先番号の操作を直接、操作部１５０で受け付けた場合、制御部１１０は、処理をＳ１１０に進める。
【００４０】
操作部１５０がアドレス帳ＡＢ１から宛先の操作を受け付けた場合、制御部１１０は、選択された宛先番号４００にアドレス帳ＡＢ１で対応付けられた通信スピード（通信速度設定５１０）に従って、処理を分岐させる。前記通信スピードが通信速度装置設定５２０に従う場合（Ｓ１０４）、制御部１１０は、通信速度装置設定５２０のファクシミリ送信をＦＡＸ制御部１１７に指示し（Ｓ１１０）、処理をＳ１１８に進める。前記通信スピードがＶ．３４である場合（Ｓ１０６）、制御部１１０は、Ｖ．８手順から開始するＶ．３４通信のファクシミリ送信をＦＡＸ制御部１１７に指示し（Ｓ１１２）、処理をＳ１１８に進める。前記通信スピードがＶ．１７である場合（Ｓ１０８）、制御部１１０は、Ｖ．２１手順から開始するＶ．１７通信のファクシミリ送信をＦＡＸ制御部１１７に指示し（Ｓ１１４）、処理をＳ１１８に進める。前記通信スピードがＶ．２９である場合、制御部１１０は、Ｖ．２１手順から開始するＶ．２９通信のファクシミリ送信をＦＡＸ制御部１１７に指示し（Ｓ１１６）、処理をＳ１１８に進める。
【００４１】
通信スピードの指示後、制御部１１０は、指示した通信スピードのファクシミリ送信を相手受信機（通信相手）に要求して相手受信機とネゴシエーションを行い、最終的な通信速度設定を決定する（Ｓ１１８）。図５に示す通信速度対応表は、送信機と受信機とで対応可能な通信速度設定に応じてネゴシエーションにより決まる通信速度設定を表している。送信機と受信機の両方がＶ．３４まで対応可能である場合、ネゴシエーションにより決まる通信速度設定はＶ．３４となる。送信機と受信機の両方がＶ．１７まで対応可能であるが少なくとも一方がＶ．３４に対応していない場合、ネゴシエーションにより決まる通信速度設定はＶ．１７となる。送信機と受信機の両方がＶ．２９まで対応可能であるが少なくとも一方がＶ．１７に対応していない場合、ネゴシエーションにより決まる通信速度設定はＶ．２９となる。尚、通信速度対応表には、Ｖ．２７ｔｅｒにしか対応していない場合も示している。
【００４２】
最終的な通信速度設定の決定後、制御部１１０は、この最終的な通信速度設定のファクシミリ送信を行う（Ｓ１２０）。最後に、制御部１１０は、ファクシミリ送信の日時、種別（送信）、結果、相手先番号、及び、通信スピードを少なくとも対応付けて通信ログＬ１に格納し（Ｓ１２２）、送信処理を終了させる。
【００４３】
次に、図６を参照して、ファクシミリ受信の処理の例を説明する。この処理は、ファクシミリ装置１００の制御部１１０が中心となって行う。制御部１１０は、図４で示したような着信信号ＳＧ１を電話回線１４０から受信するものとする。ここで、Ｓ２０２〜Ｓ２０８の処理を行う制御部１１０は着番号取得部Ｕ１の例であり、Ｓ２１２の処理を行う制御部１１０は検索部Ｕ２及び受信制御部Ｕ３の例であり、Ｓ２１８の処理を行う制御部１１０は、通信ログ記憶処理部Ｕ８の例である。
【００４４】
制御部１１０は、電話回線１４０の極性の反転を検出し（Ｓ２０２）、交換機からのＣＡＲ信号を検出すると（Ｓ２０４）、一次応答（オフフック）を行う（Ｓ２０６）。すると、交換機が着番号情報等を送出するので、制御部１１０は、着番号情報等から着番号３５０を取得し（Ｓ２０８）、受信完了信号（オンフック）を送出する（Ｓ２１０）。すると、交換機が呼び出し信号を送出するので、制御部１１０は、図７に示す通信速度決定処理を行う（Ｓ２１２）。ここで、Ｓ３０４の処理を行う制御部１１０は検索部Ｕ２の例であり、Ｓ３０２，Ｓ３０６〜Ｓ３２２の処理を行う制御部１１０は受信制御部Ｕ３の例である。
【００４５】
図７に示す通信速度決定処理が開始されると、制御部１１０は、着信信号ＳＧ１から着番号３５０を取得したか否かに応じて処理を分岐させる（Ｓ３０２）。着番号３５０が取得された場合、制御部１１０は、着番号３５０と一致する宛先番号４００をアドレス帳ＡＢ１（内部アドレス帳ＡＢ２と外部アドレス帳ＡＢ３を含む。）から検索し（Ｓ３０４）、検索されたか否かに応じて処理を分岐させる（Ｓ３０６）。図７に示す「登録済」は、着番号３５０と一致する宛先番号４００がアドレス帳ＡＢ１に格納されていることを意味する。例えば、取得された着番号３５０が「0223456789」である場合、図２に示すアドレス帳ＡＢ１において「0223456789」に一致する宛先番号４００があるので、宛先番号「0223456789」が検索され、登録済と判断されることになる。
【００４６】
着番号３５０と一致する宛先番号４００が登録済である場合、制御部１１０は、その宛先番号４００にアドレス帳ＡＢ１で対応付けられた通信スピード（通信速度設定５１０）に従って、処理を分岐させる。前記通信スピードが通信速度装置設定５２０に従う場合（Ｓ３０８）、制御部１１０は、ＦＡＸ制御部１１７から通信速度装置設定５２０のファクシミリ受信を交換機に要求し（Ｓ３１４）、処理をＳ３２２に進める。前記通信スピードがＶ．３４である場合（Ｓ３１０）、制御部１１０は、Ｖ．８手順から開始するＶ．３４通信のファクシミリ受信をＦＡＸ制御部１１７から交換機に要求し（Ｓ３１６）、処理をＳ３２２に進める。前記通信スピードがＶ．１７である場合（Ｓ３１２）、制御部１１０は、Ｖ．２１手順から開始するＶ．１７通信のファクシミリ受信をＦＡＸ制御部１１７から交換機に要求し（Ｓ３１８）、処理をＳ３２２に進める。前記通信スピードがＶ．２９である場合、制御部１１０は、Ｖ．２１手順から開始するＶ．２９通信のファクシミリ受信をＦＡＸ制御部１１７から交換機に要求し（Ｓ３２０）、処理をＳ３２２に進める。
【００４７】
通信スピードの要求後、制御部１１０は、相手送信機（送信元３００）とネゴシエーションを行い、最終的な通信速度設定を決定して（Ｓ３２２）、通信速度決定処理を終了させる。図７に示す通信速度対応表は、受信機と送信機とで対応可能な通信速度設定に応じてネゴシエーションにより決まる通信速度設定を表している。図５で示した例と同様に、受信機と送信機の両方がＶ．３４まで対応可能である場合、ネゴシエーションにより決まる通信速度設定はＶ．３４となる。受信機と送信機の両方がＶ．１７まで対応可能であるが少なくとも一方がＶ．３４に対応していない場合、ネゴシエーションにより決まる通信速度設定はＶ．１７となる。受信機と送信機の両方がＶ．２９まで対応可能であるが少なくとも一方がＶ．１７に対応していない場合、ネゴシエーションにより決まる通信速度設定はＶ．２９となる。尚、通信速度対応表には、Ｖ．２７ｔｅｒにしか対応していない場合も示している。
【００４８】
尚、アドレス帳ＡＢ１から着番号３５０と一致する宛先番号４００が検索されなかった場合、制御部１１０は、処理をＳ３０６からＳ３１４に進め、ＦＡＸ制御部１１７から通信速度装置設定５２０のファクシミリ受信を交換機に要求して処理をＳ３２２に進める。これにより、着番号３５０と一致する宛先番号４００が検索されなかった場合でもファクシミリ受信が可能であるので、ファクシミリ受信が効率よく行われる。
【００４９】
また、着信信号ＳＧ１から着番号３５０が取得されなかった場合、制御部１１０は、処理をＳ３０２からＳ３１４に進め、ＦＡＸ制御部１１７から通信速度装置設定５２０のファクシミリ受信を交換機に要求して処理をＳ３２２に進める。これにより、着信信号ＳＧ１から着番号３５０が取得されなかった場合でもファクシミリ受信が可能であるので、ファクシミリ受信が効率よく行われる。
【００５０】
最終的な通信速度設定の決定後、制御部１１０は、二次応答（オフフック）を行い（図６のＳ２１４）、決定された最終的な通信速度設定のファクシミリ受信を行う（Ｓ２１６）。最後に、制御部１１０は、ファクシミリ受信の日時、種別（受信）、結果、相手先番号、及び、通信スピードを少なくとも対応付けて通信ログＬ１に格納し（Ｓ２１８）、受信処理を終了させる。
【００５１】
ファクシミリ送信のために参照されるアドレス帳ＡＢ１には、複数の通信速度設定５００から選ばれた通信速度設定５１０が宛先番号４００に対応付けられている。このため、例えば、図２に示す内部アドレス帳ＡＢ２から宛先番号「0123456789」が検索された場合、「0123456789」に対応付けられたＶ．３４のファクシミリ受信が送信元３００に要求されて該送信元３００とネゴシエーションが行われる。内部アドレス帳ＡＢ２から宛先番号「0223456789」が検索された場合、「0223456789」に対応付けられたＶ．１７のファクシミリ受信が送信元３００に要求されて該送信元３００とネゴシエーションが行われる。内部アドレス帳ＡＢ２から宛先番号「0423456789」が検索された場合、「0423456789」に対応付けられた通信速度装置設定５２０のファクシミリ受信が送信元３００に要求されて該送信元３００とネゴシエーションが行われる。このように、送信元３００に要求される通信速度設定は、一律でなく、ファクシミリ送信のために参照されるアドレス帳ＡＢ１の宛先番号４００に応じて異なることがある。
【００５２】
例えば、宛先番号「0123456789」に高速のＶ．３４（33.6K）が対応付けられるのは、通常、宛先番号「0123456789」へのＶ．３４のファクシミリ送信が正常に行われる場合である。この場合、着番号「0123456789」からのＶ．３４のファクシミリ受信も正常に行われる可能性が大きい。そこで、アドレス帳ＡＢ１に従って着番号「0123456789」の相手送信機に高速のＶ．３４を要求すると、短時間でファクシミリ受信が行われる可能性が大きい。
また、宛先番号「0223456789」にＶ．３４よりも低速のＶ．１７（14.4K）が対応付けられるのは、通常、宛先番号「0223456789」へのＶ．１７のファクシミリ送信が正常に行われるがＶ．３４のファクシミリ送信がエラーになる可能性が比較的大きい場合である。この場合、着番号「0223456789」からのＶ．１７のファクシミリ受信は正常に行われる可能性が大きいが、Ｖ．３４のファクシミリ受信はエラーになる可能性が比較的大きい。そこで、アドレス帳ＡＢ１に従って着番号「0223456789」の相手送信機にＶ．３４よりも低速のＶ．１７を要求すると、エラー無しに効率よくファクシミリ受信が行われる可能性が大きい。
【００５３】
以上説明したように、ファクシミリ送信時にアドレス帳ＡＢ１が参照されて使用される通信速度設定５１０がファクシミリ受信時にも使用されるので、ファクシミリ受信が効率よく行われる。
【００５４】
（４）変形例：
本発明は、種々の変形例が考えられる。
例えば、ファクシミリ装置は、複合機でなく、ファクシミリ専用機でもよい。
図４で示した着信信号ＳＧ１は、本技術を実施するための一例に過ぎない。従って、Caller ID といった発信者電話番号を通知するための仕様に応じた着信信号を本技術に適用可能である。
上述した処理は、順番を入れ替える等、適宜、変更可能である。例えば、図７の通信速度決定処理において、Ｓ３１０の判断処理をＳ３１２の判断処理の後で行うことが可能である。
アドレス帳に登録される通信速度設定の種類数は、上述した例の４種類に限定されず、２種類でもよいし、３種類でもよいし、５種類以上でもよい。通信速度装置設定として選択可能な通信速度設定の種類数は、上述した例の３種類に限定されず、２種類でもよいし、４種類以上でもよい。図５，７で示した判断処理は、通信速度装置設定として選択可能な通信速度設定の種類数に応じた処理を行えばよい。むろん、アドレス帳に登録される通信速度設定に通信速度装置設定が含まれない場合も、本技術に含まれる。
【００５５】
アドレス帳ＡＢ１が内部アドレス帳ＡＢ２と外部アドレス帳ＡＢ３を含む複数の分割アドレス帳に分けられている場合、同じ宛先番号４００がある場合に優先して使用する優先アドレス帳が複数の分割アドレス帳から設定されてもよい。
【００５６】
図８は、ファクシミリ装置１００の制御部１１０が中心となって行う優先アドレス帳設定処理の例を示している。この処理は、優先アドレス帳の設定画面を表示させる操作を操作部１５０で受け付けた時に開始される。尚、アドレス帳ＡＢ１が２つの分割アドレス帳に分けられ、第一の分割アドレス帳が内部アドレス帳ＡＢ２であり、第二の分割アドレス帳が外部アドレス帳ＡＢ３であるものとする。
【００５７】
処理が開始されると、制御部１１０は、分割アドレス帳（ＡＢ２，ＡＢ３）の選択画面６１０を表示パネル１７０に表示させる（Ｓ４０２）。図２に示す選択画面６１０には、内部アドレス帳ＡＢ２の選択ボタン６１１、及び、外部アドレス帳ＡＢ３の選択ボタン６１２が配置されている。次に、制御部１１０は、選択ボタン６１１又は選択ボタン６１２への操作を受け付ける（Ｓ４０４）。この処理は、複数の分割アドレス帳（ＡＢ２，ＡＢ３）から優先アドレス帳の選択を受け付ける処理である。最後に、制御部１１０は、受け付けた操作に応じた優先アドレス帳を表す情報６１３を不揮発性メモリー１１３に記憶し（Ｓ４０６）、優先アドレス帳設定処理を終了させる。例えば、制御部１１０は、内部アドレス帳ＡＢ２の選択ボタン６１１の操作を受け付けると、図８に示すように、内部アドレス帳ＡＢ２を表す情報６１３を不揮発性メモリー１１３に記憶する。外部アドレス帳ＡＢ３の選択ボタン６１２の操作を受け付けた場合、制御部１１０は、外部アドレス帳ＡＢ３を表す情報を不揮発性メモリー１１３に記憶する。
【００５８】
図９は、図７のＳ３０４で行われる別のアドレス帳検索処理の例を示している。ここで、Ｓ４１２〜Ｓ４１６の処理を行う制御部１１０は、検索部Ｕ２の例である。一例として、内部アドレス帳ＡＢ２が優先アドレス帳に設定された場合のアドレス帳検索処理を説明する。
【００５９】
図６のＳ２０８の処理において着番号３５０が取得されると、図７のＳ３０２の判断処理において条件成立となる。この場合、制御部１１０は、先に優先アドレス帳（内部アドレス帳ＡＢ２）から着番号３５０と一致する宛先番号４００を検索し（Ｓ４１２）、検索されたか否かに応じて処理を分岐させる（Ｓ４１４）。図９に示す「登録済」は、着番号３５０と一致する宛先番号４００が優先アドレス帳（ＡＢ２）に格納されていることを意味する。登録済であれば、非優先アドレス帳（外部アドレス帳ＡＢ３）を検索する必要が無いので、制御部１１０は、アドレス帳検索処理を終了させる。非優先アドレス帳は、複数の分割アドレス帳のうち優先アドレス帳を除く分割アドレス帳である。登録済でなければ、制御部１１０は、非優先アドレス帳（ＡＢ３）から着番号３５０と一致する宛先番号４００を検索し（Ｓ４１６）、アドレス帳検索処理を終了させる。
内部アドレス帳ＡＢ２又は外部アドレス帳ＡＢ３から着番号３５０と一致する宛先番号４００が検索されると、対応付けられた通信速度設定５１０に応じて処理が分岐し（図７のＳ３０８〜Ｓ３１２）、相手送信機とネゴシエーションが行われる。
【００６０】
本具体例は、不揮発性メモリー１１３のデータ容量により登録可能な件数が少数に限られる内部アドレス帳ＡＢ２に加えて、より多くの件数を登録可能な外部アドレス帳ＡＢ３が使用される。従って、本具体例は、より多くの着番号３５０に対してアドレス帳ＡＢ１の通信速度設定５１０のファクシミリ受信を送信元３００に要求してネゴシエーションを行うことができる。また、着番号３５０と一致する宛先番号４００が複数の分割アドレス帳にある場合に優先アドレス帳の宛先番号４００に対応付けられた通信速度設定５１０がファクシミリ受信時のネゴシエーションに使用されるので、ファクシミリ受信が効率よく行われる。さらに、優先アドレス帳から着番号３５０と一致する宛先番号４００が検索されると優先アドレス帳でない分割アドレス帳から宛先番号４００を検索する必要が無くなるので、この点でもファクシミリ受信が効率よく行われる。
【００６１】
尚、外部アドレス帳ＡＢ３が優先アドレス帳に設定された場合、先に外部アドレス帳ＡＢ３から宛先番号４００が検索され、必要に応じて内部アドレス帳ＡＢ２から宛先番号４００が検索されることになる。
また、ファクシミリ装置１００にコンピューター２１０と不揮発性メモリー装置２５０の両方が接続される等、外部アドレス帳ＡＢ３が２以上存在する場合、内部アドレス帳ＡＢ２と２以上の外部アドレス帳ＡＢ３を含む３以上の分割アドレス帳から優先アドレス帳が設定されてもよい。むろん、３以上の分割アドレス帳に優先順位が付けられ、この優先順位に従って順次、分割アドレス帳から宛先番号４００が検索されてもよい。
【００６２】
ところで、アドレス帳ＡＢ１の通信速度設定５１０でファクシミリ通信にエラーが生じた場合、アドレス帳ＡＢ１の通信速度設定５１０を更新することができると好適である。図２で示した通信ログＬ１には、ファクシミリ通信の結果が格納されている。図２で示したアドレス帳ＡＢ１には、通信ログＬ１にエラーが生じたことが記録された「0123456789」（通信ログＬ１の宛先番号４３０）に「Ｖ．３４」（通信速度設定５３０）が対応付けられている。エラーが生じた送信元３００から同じ通信速度設定５３０でファクシミリ受信を行っても、再びエラーが生じる可能性が大きいと推測される。そこで、次回のファクシミリ受信が通信速度設定５３０よりも低速の通信速度設定となるようにアドレス帳ＡＢ１が更新されると、より好ましい。
【００６３】
図１０は、前述のエラーが生じた場合に通信速度設定５３０を更新可能な通信速度更新処理の例を示している。この処理は、ファクシミリ装置１００の制御部１１０が中心となって行い、通信ログを表示させる操作を操作部１５０で受け付けた時に開始される。ここで、Ｓ５０２，Ｓ５０８の処理を行う制御部１１０は通信ログ選択部Ｕ９の例であり、Ｓ５０４〜Ｓ５０６，Ｓ５１０の処理を行う制御部１１０は変更受付部Ｕ６の例であり、Ｓ５１４の処理を行う制御部１１０は通信速度設定更新部Ｕ７の例である。まず、Ｓ５１６の処理を行わない例を説明する。
【００６４】
処理が開始されると、制御部１１０は、通信ログＬ１に含まれる情報をログ表示画面（例えば図１１，１２に示すログ表示画面６２１，６２２）として表示パネル１７０に表示させる（Ｓ５０２）。図１１，１２に示すログ表示画面６２１，６２２には、図２に示す通信ログＬ１に含まれるファクシミリ通信１回分の情報、例えば、ファクシミリ通信の日時、種別、結果、相手先番号、及び、枚数がボタン６３１，６３２とともに示される。例えば、図１１に示すログ表示画面６２１には、通信ログＬ１に含まれる相手先番号「0323456789」についての情報が示されている。この相手先番号のファクシミリ通信の結果は、OKである。図１２に示すログ表示画面６２２には、通信ログＬ１に含まれる相手先番号「0123456789」についての情報が示されている。この相手先番号のファクシミリ通信の結果は、Errorである。
【００６５】
また、制御部１１０は、ログ表示画面に示されているファクシミリ通信の結果がエラーであった場合（Ｓ５０４）、ログ表示画面に通信速度更新ボタンを表示させる（Ｓ５０６）。例えば、図１１に示すログ表示画面６２１のファクシミリ通信の結果はエラーでないので、通信速度更新ボタンは表示されない。図１２に示すログ表示画面６２２のファクシミリ通信の結果はエラーであるので、通信速度更新ボタン６３３が表示される。
【００６６】
さらに、制御部１１０は、ログ表示画面への操作に応じて処理を分岐させる（Ｓ５０８）。ログ表示画面６２１，６２２のボタン６３１，６３２が操作されると、制御部１１０は、情報が表示されているファクシミリ通信とは別のファクシミリ通信の情報を通信ログＬ１から取得し、処理をＳ５０２に戻す。これにより、ログ表示画面が別のファクシミリ通信の情報に切り替わる。例えば、ログ表示画面６２１，６２２の前ボタン６３１が操作されると、制御部１１０は、ログ表示画面を直前のファクシミリ通信の情報に切り替える。ログ表示画面６２１，６２２の次ボタン６３２が操作されると、制御部１１０は、ログ表示画面を直後のファクシミリ通信の情報に切り替える。
【００６７】
図１２に示すログ表示画面６３２の通信速度更新ボタン６３３が操作されると、制御部１１０は、アドレス帳ＡＢ１に登録されている通信速度設定５３０を更新するための画面（例えば図１３に示す通信速度更新画面６４０）を表示パネル１７０に表示させる（Ｓ５１０）。図１３に示す通信速度更新画面６４０には、ログ表示画面６３２に表示されていた相手先番号と同じ宛先番号「0123456789」に対応付けられた名称と通信速度設定５３０がアドレス帳ＡＢ１から読み出されて、推奨する通信速度設定５３１、及び、ボタン６４１，６４２とともに示される。推奨する通信速度設定５３１は、例えば、現在登録されている通信速度設定５３０よりも１段階低速の通信速度設定とされる。１段階低速の通信速度設定は、現在登録されている通信速度設定がＶ．３４である場合にはＶ．１７であり、現在登録されている通信速度設定がＶ．１７である場合にはＶ．２９である。
【００６８】
通信速度更新画面６４０の表示後、制御部１１０は、通信速度更新画面６４０への操作に応じて処理を分岐させる（Ｓ５１２）。「更新しない」ボタン６４２が操作されると、制御部１１０は、Ｓ５１４の処理を行わずに通信速度設定処理を終了させる。「更新する」ボタン６４１が操作されると、制御部１１０は、更新後の通信速度設定５３１を宛先番号４３０に対応付けてアドレス帳ＡＢ１に格納し（Ｓ５１４）、通信速度設定処理を終了させる。すなわち、「更新する」ボタン６４１の操作により受け付けられるのは現在登録されている通信速度設定よりも１段階低速の通信速度設定であり、この１段階低速の通信速度設定がアドレス帳ＡＢ１において宛先番号４３０に対応付けられる。例えば、図２で示した宛先番号「0123456789」に対応付けられていた通信速度設定Ｖ．３４は、１段階低速の通信速度設定Ｖ．１７に更新される。従って、次回以降の相手先番号「0123456789」からのファクシミリ受信は、Ｖ．１７で行われ、エラーの可能性が低くなる。
以上説明した例では、ファクシミリ通信にエラーが生じた場合にアドレス帳ＡＢ１の通信速度設定５３０が更新されるので、ファクシミリ通信がさらに効率よく行われる。
【００６９】
また、通信ログから通信速度設定をアドレス帳ＡＢ１に登録することができると、好適である。この場合、例えば、図１０に示す通信速度設定処理においてＳ５１６の処理も行えばよい。このＳ５１６の処理を行う制御部１１０は、アドレス帳登録部Ｕ１０の例である。Ｓ５０２の通信ログ表示処理では、ログ表示画面の相手先番号と一致する宛先番号４００がアドレス帳ＡＢ１に格納されていない場合に図１４に示すようなアドレス帳登録ボタン６３４をログ表示画面に表示してもよい。図１４に示すログ表示画面６２３には、アドレス帳ＡＢ１に宛先番号として格納されていない相手先番号「0923456789」についての情報がボタン６３１，６３２，６３４とともに示されている。図２で示した通信ログＬ１には、相手先番号「0923456789」に対応付けられた通信速度設定５４０が格納されている。図２に示す相手先番号「0923456789」は、アドレス帳ＡＢ１に宛先番号４００として登録する電話番号４４０の例である。
【００７０】
上記アドレス帳登録ボタン６３４が操作されると（Ｓ５０８）、制御部１１０は、Ｓ５０２〜Ｓ５０８の処理で選択されたログ表示画面の相手先番号（電話番号４４０）と、この相手先番号に通信ログＬ１において対応付けられた通信速度設定５４０と、を対応付けてアドレス帳ＡＢ１に登録し（Ｓ５１６）、通信速度設定処理を終了させる。例えば、図１４に示す相手先番号「0923456789」に通信ログＬ１（図２参照。）で対応付けられた通信速度設定５４０はＶ．３４であるので、宛先番号「0923456789」と通信速度設定Ｖ．３４とが対応付けられてアドレス帳ＡＢ１に格納される。
以上説明した例では、通信ログＬ１から宛先番号４００と通信速度設定５１０とが対応付けられてアドレス帳ＡＢ１に登録されるので、ファクシミリ通信がさらに効率よく行われる。
【００７１】
尚、アドレス帳は、外部アドレス帳を含まずに内部アドレス帳だけでもよいし、内部アドレス帳を含まずに外部アドレス帳だけでもよい。
また、図８で示した優先アドレス帳設定処理を行わなかったり、図９で示したアドレス帳検索処理を行わなかったり、図１０で示した通信速度設定処理を行わなかったりする場合も、本技術に含まれる。
【００７２】
（５）結び：
以上説明したように、本発明によると、種々の態様により、ファクシミリ受信を効率よく行うことが可能な技術等を提供することができる。むろん、従属請求項に係る構成要件を有しておらず独立請求項に係る構成要件のみからなる技術等でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００７３】
１００…ファクシミリ装置、１１０…制御部、１１３…不揮発性メモリー（記憶部の例）、１１７…ＦＡＸ制御部、１４０…電話回線、１５０…操作部、２００…外部装置、２１０…コンピューター（外部装置の例）、２１３…不揮発性メモリー、２５０…不揮発性メモリー装置（外部装置の例）、３００…送信元、３５０…着番号、４００…宛先番号、４３０…エラーが生じた宛先番号、４４０…電話番号、５００…通信速度設定、５１０…選ばれた通信速度設定、５２０…通信速度装置設定、５３０…エラーが生じた宛先番号に対応付けられた通信速度設定、５３１…受け付けられた通信速度設定、５４０…通信速度設定、６１０…選択画面、６１３…優先アドレス帳を表す情報、６２１〜６２３…ログ表示画面、６４０…通信速度更新画面、ＡＢ１…アドレス帳、ＡＢ２…内部アドレス帳、ＡＢ３…外部アドレス帳、Ｌ１…通信ログ、ＳＧ１…着信信号、ＳＹ１…ファクシミリシステム、Ｕ１…着番号取得部、Ｕ２…検索部、Ｕ３…受信制御部、Ｕ４…記憶部、Ｕ５…接続部、Ｕ６…変更受付部、Ｕ７…通信速度設定更新部、Ｕ８…通信ログ記憶処理部、Ｕ９…通信ログ選択部、Ｕ１０…アドレス帳登録部。
【図１】
2017085308.tif 000003
【図２】
2017085308.tif 000004
【図３】
2017085308.tif 000005
【図４】
2017085308.tif 000006
【図５】
2017085308.tif 000007
【図６】
2017085308.tif 000008
【図７】
2017085308.tif 000009
【図８】
2017085308.tif 000010
【図９】
2017085308.tif 000011
【図１０】
2017085308.tif 000012
【図１１】
2017085308.tif 000013
【図１２】
2017085308.tif 000014
【図１３】
2017085308.tif 000015
【図１４】
2017085308.tif 000016